(57)【要約】【課題】電力、ガス、水道量を計測し、計測値から二酸化炭素排出量を演算することで、自動的に環境改善を実践できる環境家計簿を作成することができるパソコン上で動作する計測機能付環境家計簿を提供すること【解決手段】電力消費量とガス消費量と水道消費量と各二酸化炭素排出量変換手段で変換された二酸化炭素排出量を表またはグラフ表示を行う図表表示手段とから構成される計測機能付環境家計簿であって、図表表示手段は、複数の二酸化炭素排出量を表示比較でき比較の結果得られた削減量を金額と樹木の本数表示に変換し表示できる。【選択図】図１ 
2005196526.tif 000002
【特許請求の範囲】
【請求項１】
複数台の電力消費機器の電力消費量と複数台のガス消費機器のガス消費量と複数台の水道消費機器の水道消費量を通信線を介して計測する計測手段と、計測された電力消費量を二酸化炭素排出量に変換する電力用二酸化炭素排出量変換手段と、計測されたガス消費量を二酸化炭素排出量に変換するガス用二酸化炭素排出量変換手段と、計測された水道消費量を二酸化炭素排出量に変換する水道用二酸化炭素排出量変換手段と、計測された電力消費量とガス消費量と水道消費量と各二酸化炭素排出量変換手段で変換された二酸化炭素排出量を表またはグラフ表示を行う図表表示手段とから構成される計測機能付環境家計簿であって、前記図表表示手段は複数の二酸化炭素排出量を表示比較でき比較の結果得られた削減量を金額と樹木の本数表示に変換し表示することを特徴とする計測機能付環境家計簿。
【請求項２】
建物のレイアウトおよび設置機器を入力および表示するレイアウト入力表示手段と入居人数を入力および表示する在室数入力表示手段を設けたことを特徴とする、請求項１記載の計測機能付環境家計簿。
【請求項３】
エネルギー消費項目と数量と各項目のエコ係数を入力する他エネルギー入力演算手段を設け、二酸化炭素排出量の合計を算出することを特徴とする、請求項１記載の計測機能付環境家計簿。
【請求項４】
計測された電力量とガス量と水道量と前記他エネルギー入力手段で入力された情報と前記レイアウト入力表示手段と前記在室数入力表示手段で入力された情報をもとに建物の実エネルギー消費量と節約可能な仮想エネルギー消費量を算出する省エネ推進演算手段をもうけたことを特徴とする、請求項１〜３のいずれかに記載の計測機能付環境家計簿。
【請求項５】
個人別消費量演算手段はレイアウト入力表示手段と在室数入力表示手段の情報をもとに個人別の二酸化炭素排出量を表示することを特徴とする、請求項１〜２のいずれかに記載の計測機能付環境家計簿。
【発明の詳細な説明】
【技術分野】
【０００１】
本発明は機器の計測機能付環境家計簿に関するものである。
【背景技術】
【０００２】
従来、この種の環境家計簿では、例えば図６に記載された電卓タイプの環境家計簿があった。
【０００３】
図６において、電卓本体１０１の表面には電源としての太陽電池パネル１０２と、入力数値および演算結果が表示される表示部である液晶パネル１０３と、数字キー１０４と、百分率キー１０５と、平方根キー１０６と、四則演算キーやメモリーキー等の各種キーとを配設した電卓において、環境家計簿の各エコ係数を有したエコ項目キー１１０（電気、ガス、水道、ガソリン、アルミ缶、スチール缶、PET、ガラス瓶、紙パック、食品トレー、ゴミ）とを電卓表面に配設していた（例えば、特許文献１参照）。
【特許文献１】実用新案登録第３０５９５１０号公報
【発明の開示】
【発明が解決しようとする課題】
【０００４】
しかしながら、上記従来の構成では、すべての入力を手動で行うため使用量をリアルタイムで算出できない課題を有していた。
本発明は、前記従来の課題を解決するもので、電力、ガス、水道量を計測し計測値から二酸化炭素排出量に演算できる計測機能付環境家計簿を提供することを目的とする。
【課題を解決するための手段】
【０００５】
前記従来の課題を解決するために、本発明の計測機能付環境家計簿は、複数台の電力消費機器の電力消費量と複数台のガス消費機器のガス消費量と複数台の水道消費機器の水道消費量を通信線を介して計測する計測手段と、計測された電力消費量を二酸化炭素排出量に変換する電力用二酸化炭素排出量変換手段と、計測されたガス消費量を二酸化炭素排出量に変換するガス用二酸化炭素排出量変換手段と、計測された水道消費量を二酸化炭素排出量に変換する水道用二酸化炭素排出量変換手段と、計測された電力消費量とガス消費量と水道消費量と各二酸化炭素排出量変換手段で変換された二酸化炭素排出量を表またはグラフ表示を行う図表表示手段とから構成される計測機能付環境家計簿であって、前記図表表示手段は複数の二酸化炭素排出量を表示比較でき比較の結果得られた削減量を金額と樹木の本数表示に変換し表示するものである。
【０００６】
これによって複数の二酸化炭素排出量を表示比較でき比較の結果得られた削減量を金額と樹木の本数表示に変換し表示でき省エネの推進と二酸化炭素（CO2）排出量の削減を簡単に実践することができる。
【発明の効果】
【０００７】
本発明の計測機能付環境家計簿は、電力、ガス、水道量を計測し、計測値から二酸化炭素排出量を演算することで、自動的に環境改善を実践できる環境家計簿を精度よく簡単に作成することができる。
【発明を実施するための最良の形態】
【０００８】
第１の発明は、複数台の電力消費機器の電力消費量と複数台のガス消費機器のガス消費量と複数台の水道消費機器の水道消費量を通信線を介して計測する計測手段と、計測された電力消費量を二酸化炭素排出量に変換する電力用二酸化炭素排出量変換手段と、計測さ
れたガス消費量を二酸化炭素排出量に変換するガス用二酸化炭素排出量変換手段と、計測された水道消費量を二酸化炭素排出量に変換する水道用二酸化炭素排出量変換手段と、計測された電力消費量とガス消費量と水道消費量と各二酸化炭素排出量変換手段で変換された二酸化炭素排出量を表またはグラフ表示を行う図表表示手段とから構成される計測機能付環境家計簿であって、前記図表表示手段は複数の二酸化炭素排出量を表示比較でき比較の結果得られた削減量を金額と樹木の本数表示に変換し表示することにより、複数の二酸化炭素排出量を表示比較でき比較の結果得られた削減量を金額と樹木の本数表示に変換し表示でき省エネの推進と二酸化炭素（CO2）排出量の削減を簡単に実践することができる。
【０００９】
第２の発明は、特に第１の発明において建物のレイアウトおよび設置機器を入力および表示するレイアウト入力表示手段と入居人数を入力および表示する在室数入力表示手段を設けたことにより、不在箇所の省エネを簡単に行うことができる。
【００１０】
第３の発明は、特に第１の発明においてエネルギー消費項目と数量と各項目のエコ係数を入力する他エネルギー入力演算手段を設け、二酸化炭素排出量の合計を算出することにより、エネルギー消費項目毎に割り振られたエコ係数をもとに二酸化炭素排出量に変換できるため二酸化炭素排出量の合計を簡単に算出することができる。
【００１１】
第４の発明は、特に第１〜３の発明のいずれかにおいて計測された電力量とガス量と水道量と前記他エネルギー入力手段で入力された情報と前記レイアウト入力表示手段と前記在室数入力表示手段で入力された情報をもとに建物の実エネルギー消費量と節約可能な仮想エネルギー消費量を算出する省エネ推進演算手段をもうけることにより、目標が明確になりエネルギーの節約意欲の向上を図ることができる。
第５の発明は、特に第１〜２のいずれかの発明において個人別消費量演算手段はレイアウト入力表示手段と在室数入力表示手段の情報をもとに個人別の二酸化炭素排出量を表示することにより、責任が明確になり個人のエネルギー消費に対する節約意欲の向上を図ることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における計測機能付環境家計簿のブロック図を示すものである。
図１において、計測機能付環境家計簿１は、計測手段４、電力用二酸化炭素排出量変換手段５、ガス用二酸化炭素排出量変換手段６、水道用二酸化炭素排出量変換手段７、図表表示手段８から構成されている。
【００１４】
以上のように構成された計測機能付環境家計簿について、以下その動作、作用を説明する。
【００１５】
まず、計測手段４は、複数台の電力消費機器２Ａの所定消費電力量（例：１０ｋＷｈ）と、複数台のガス消費機器２Ｂの所定消費ガス量（例：１０ｍ３）と、複数台の水道消費機器２Ｃの所定消費水道量（例：１０ｍ３）を通信線３を介して計測する。電力用二酸化炭素排出量変換手段６は、計測手段４で数値化された消費電力量を二酸化炭素排出量に変換する（例：１０ｋＷｈ＝１．２ｋｇ−ｃ）。ガス用二酸化炭素排出量変換手段７は、計測手段４で数値化された消費ガス量を二酸化炭素排出量に変換する（例：１０ｋＷｈ＝１．６ｋｇ−ｃ）。水道用二酸化炭素排出量変換手段７は、計測手段４で数値化された消費水道量を二酸化炭素排出量に変換する（例：１０ｋＷｈ＝０．８ｋｇ−ｃ）。
【００１６】
次に図表表示手段８は電力消費量とガス消費量と水道消費量と各二酸化炭素排出量変換手段で変換された二酸化炭素排出量を表またはグラフ表示を行う。以降この動作を所定周期で自動的に繰り返す。
【００１７】
以上のように構成された計測機能付環境家計簿１は、図表表示手段８により複数の二酸化炭素排出量を表示比較でき（例：前年同月電力量表示比較）、比較の結果得られた削減量を金額と樹木の本数表示に変換し表示できる。これにより視覚的にエネルギー消費量を確認でき、省エネの推進と二酸化炭素（CO2）排出量の削減を簡単に実践することができる。
【００１８】
尚、前記各二酸化炭素排出量変換手段は、一酸化炭素排出量変換手段としても良い。
【００１９】
また、計測機能付環境家計簿はパソコン上で動作し、文字、数字、画像の入力にはキーボードもしくはタッチパネル、マウス、スキャナ、音声入力でもよい。
【００２０】
（実施の形態２）
図２は、本発明の実施の形態２における計測機能付環境家計簿のブロック図である。同図において、図１と同じ構成要素については同じ符号を用い説明を省略する。
図２において、計測機能付環境家計簿１は、レイアウト入力表示手段９、在室数入力表示手段１０から構成されている。
【００２１】
まず、レイアウト入力表示手段９により、建物のレイアウト（例：平面図）および設置機器（例：電気製品、ガス製品、家具、照明など）の入力を行いパソコン画面上に表示する。
【００２２】
次に在室数入力表示手段１０により、入居人数を入力および表示する。
【００２３】
以上のように構成された計測機能付環境家計簿は、レイアウト入力表示手段９と在室数入力表示手段１０により不在箇所が明確になり、不在箇所の電化製品の消し忘れを防止でき省エネを簡単に促進できる。
【００２４】
（実施の形態３）
図３は、本発明の実施の形態３における計測機能付環境家計簿のブロック図である。同図において、図１および図２と同じ構成要素については同じ符号を用い説明を省略する。
【００２５】
図３において、計測機能付環境家計簿１は、他エネルギー入力演算手段１１から構成されている。
【００２６】
以上のように構成された計測機能付環境家計簿について、以下その動作、作用を説明する。
【００２７】
まず、他エネルギー入力演算手段１１はエネルギー消費項目（例：ガソリン、石油、灯油等）と数量を入力する。
【００２８】
次にエネルギー消費項目毎に割り振られたエコ係数（例：ガソリン１リッター＝二酸化炭素排出係数０．２）をもとに二酸化炭素排出量に変換する。
【００２９】
以上のように構成された計測機能付環境家計簿は、建物において入力されたエネルギー消費項目毎に決められたエコ係数により二酸化炭素排出量を算出できるため自動で計測さ
れた電力、ガス水道量から演算された二酸化炭素排出量との合計を簡単に算出できる。
【００３０】
（実施の形態４）
図４は、本発明の実施の形態４における計測機能付環境家計簿のブロック図である。同図において、図１から図３と同じ構成要素については同じ符号を用い説明を省略する。
【００３１】
図４において、計測機能付環境家計簿１は、省エネ推進演算手段１２から構成されている。
【００３２】
まず、省エネ推進演算手段１２は計測された電力量とガス量と水道量と他エネルギー入力手段１１で入力されたエネルギー消費項目情報とレイアウト入力表示手段９と在室数入力表示手段１０で入力された建物負荷情報をもとに建物の実エネルギー消費量（例：二酸化炭素排出量換算＝３５０ｋｇ−ｃ）と節約可能な仮想エネルギー消費量を居住人員、使用機器負荷量および生活サイクルを入力パラメータとし算出する（例：二酸化炭素排出量換算＝３００ｋｇ−ｃ）。
【００３３】
以上のように構成された計測機能付環境家計簿は、省エネ推進演算手段１２により省エネの最大値を割り出し、現状消費量と比較できることでエネルギーの節約意欲の向上を図ることができる。
【００３４】
（実施の形態５）
図５は、本発明の実施の形態５における計測機能付環境家計簿のブロック図である。同図において、図１から図４と同じ構成要素については同じ符号を用い説明を省略する。
【００３５】
図５において、計測機能付環境家計簿１は、個人別消費量演算手段１３から構成されている。
【００３６】
以上のように構成された計測機能付環境家計簿について、以下その動作、作用を説明する。
【００３７】
まず、個人別消費量演算手段１３はレイアウト入力表示手段９と在室数入力表示手段１０の情報をもとに設定された個人別の二酸化炭素排出量を演算し表示できる。これにより責任が明確になり個人のエネルギー消費に対する節約意欲の向上を図ることができる。
【産業上の利用可能性】
【００３８】
以上のように、本発明の計測機能付環境家計簿は、電力、ガス、水道量を計測し、計測値から二酸化炭素排出量を演算することで、自動的に環境改善を実践できる環境家計簿を作成することができるパソコン上で動作する計測機能付環境家計簿であり、個人の家庭、自治会、学校、市町村役場、都道府県庁舎での活用に応用できる。
【図面の簡単な説明】
【００３９】
【図１】本発明の実施の形態１における計測機能付環境家計簿のブロック図
【図２】本発明の実施の形態２における計測機能付環境家計簿のブロック図
【図３】本発明の実施の形態３における計測機能付環境家計簿のブロック図
【図４】本発明の実施の形態４における計測機能付環境家計簿のブロック図
【図５】本発明の実施の形態５における計測機能付環境家計簿のブロック図
【図６】従来の計測機能付環境家計簿のブロック図
【符号の説明】
【００４０】
１  計測機能付環境家計簿
２Ａ  電力消費機器
２Ｂ  ガス消費機器
２Ｃ  水道消費機器
３  通信線
４  計測手段
５  電力用二酸化炭素排出量変換手段
６  ガス用二酸化炭素排出量変換手段
７  水道用二酸化炭素排出量変換手段
８  図表表示手段手段
９  レイアウト入力表示手段手段
１０  在室数入力表示手段
１１  他エネルギー入力演算手段
１２  省エネ推進演算手段
１３  個人別消費量演算手段
【図１】
2005196526.tif 000003
【図２】
2005196526.tif 000004
【図３】
2005196526.tif 000005
【図４】
2005196526.tif 000006
【図５】
2005196526.tif 000007
【図６】
2005196526.tif 000008